(57)【要約】【課題】構成をシンプルにし、コンパクトでかつ安価にでき、しかも操作性の良い車両空調装置用操作装置を提供することを目的とする。【解決手段】表面側が操作パネル２とされたコントロールボックス５と、スイッチ機能および意匠が印刷され、操作パネル２の外面側または内面側に貼り付けまたはインサート成形されたパネルシート１１と、操作パネル２の内面側に貼り付けられたタッチセンサシート１２と、を備え、タッチセンサシート１２は、透明または半透明で光が透過可能とされているとともに、パネルシート１１は、スイッチ機能および意匠の一部が光を透過可能に印刷されている車両空調装置用操作装置１。【選択図】図３
2010179735.tif 000002
【特許請求の範囲】
【請求項１】
表面側が操作パネルとされたコントロールボックスと、
スイッチ機能および意匠が印刷され、前記操作パネルの外面側または内面側に貼り付けまたはインサート成形されたパネルシートと、
前記操作パネルの内面側に貼り付けられたタッチセンサシートと、を備え、
前記タッチセンサシートは、透明または半透明で光が透過可能とされているとともに、前記パネルシートは、前記スイッチ機能および意匠の一部が光を透過可能に印刷されていることを特徴とする車両空調装置用操作装置。
【請求項２】
前記コントロールボックスの内部側には、前記タッチセンサシートの貼り付け位置を決める位置決め部材が設けられていることを特徴とする請求項１に記載の車両空調装置用操作装置。
【請求項３】
前記操作装置による操作状態は、別個に設けられている液晶ディスプレイ（ＬＣＤ）、蛍光表示管（ＶＦＤ）等の表示部に表示可能とされていることを特徴とする請求項１または２に記載の車両空調装置用操作装置。
【請求項４】
前記タッチセンサシートは、静電容量方式、表面弾性波方式、または音響パルス認識方式のいずれかとされていることを特徴とする請求項１ないし３のいずれかに記載の車両空調装置用操作装置。
【請求項５】
前記タッチセンサシートが静電容量方式とされた場合、前記操作パネルまたはパネルシートの前記タッチセンサシートとの接着面は、密着される必要がある部分のみが周囲から凸状に構成されていることを特徴とする請求項４に記載の車両空調装置用操作装置。
【請求項６】
前記パネルシートに印刷されている前記スイッチ機能および意匠の一部は、周囲と同色または類似色とされ、バックライトの点灯により表示が現れるようにされていることを特徴とする請求項１ないし５のいずれかに記載の車両空調装置用操作装置。
【請求項７】
前記操作パネルおよび前記パネルシートの操作部は、周囲に対して凸状または凹状に構成されていることを特徴とする請求項１ないし６のいずれかに記載の車両空調装置用操作装置。
【請求項８】
前記操作装置は、操作部にタッチした時間の長さに応じて操作の変化量が変化されるように構成されていることを特徴とする請求項１ないし７のいずれかに記載の車両空調装置用操作装置。
【請求項９】
前記操作装置は、操作部をタッチ操作したとき、操作音が発生されるように構成されていることを特徴とする請求項１ないし８のいずれかに記載の車両空調装置用操作装置。
【請求項１０】
前記操作音は、所定時間だけ遅延して発せられるように構成されていることを特徴とする請求項９に記載の車両空調装置用操作装置。
【発明の詳細な説明】
【技術分野】
【０００１】
本発明は、車室内のインストルメントパネルに設置され、車両に搭載されている空調装置を操作する車両空調装置用操作装置に関するものである。
【背景技術】
【０００２】
車両空調装置用の操作装置は、車室内のインストルメントパネル（インパネ）上に設置され、空調装置を操作するものであって、一般にコントロールボックスの内部に基板を設置し、その基板上に設けられている各種スイッチを、コントロールボックス表面の操作パネル上に配設されている複数の回転式操作ノブや押圧式操作ボタン、タッチセンサ付押圧操作スイッチ等を操作して作動させることにより、空調装置を操作するように構成されている。
【０００３】
この操作装置による操作状況は、操作パネル上に設けられている液晶表示部や別の位置に設置されている液晶表示部上等に表示され、目視によって確認できるように構成されている。また、一般に操作ノブや操作ボタン、タッチセンサ付押圧操作スイッチあるいはその周囲には、その操作機能を表示する文字や絵柄等が設けられており、それをコントロールボックス内に設けられているＬＥＤやランプ等のバックライトにより照明し、昼夜を問わず視認し易くして操作性を向上させるようにしている（例えば、特許文献１，２参照）。
【先行技術文献】
【特許文献】
【０００４】
【特許文献１】特開２０００−３１１５５２号公報
【特許文献２】特開２００４−３２２９００号公報
【発明の概要】
【発明が解決しようとする課題】
【０００５】
しかしながら、上記のような複数の回転式操作ノブ、押圧式操作ボタン、タッチセンサ付押圧操作スイッチ等を用いた操作装置では、操作部と一体をなす筒状のノブあるいはスライダが必要であり、それが操作パネルに設けられている開口部を出入りする構成とされている。このため、摺動抵抗等によって操作性が悪化しないようにする必要があり、ノブあるいはスライダと開口部との間の隙間の作り込みに手間がかかるという問題があった。また、ノブの回転量を検出するためのエンコーダやボリューム等の素子が必要となるとともに、複数の操作部を照明するバックライトの数を少なくしようとすると、プリズム等により導光する必要が生じ、部品数が増加して安価に製作できなくなるという問題を有していた。
【０００６】
特に、夜間等にバックライトからの照明によって、ノブ、ボタン、スイッチ等に直接あるいはその周辺部に、ノブ、ボタン、スイッチ等の機能を表示するためには、アクリルやポリカーボネート（ＰＣ）等の透明部材に白色等の表示色を下塗りし、その上に黒色等の外表塗装を塗布した後、表示したい文字や絵柄をレーザーカット等により外表塗装を剥がして形成しなければならず、多大の工数を費やすことになり、それが大きなコストアップ要因となっていた。更に、複数の回転式操作ノブ、押圧式操作ボタン、タッチセンサ付押圧操作スイッチ等を用いた操作装置では、如何にしてもコントロールボックスの小型コンパクト化には限界があった。
【０００７】
本発明は、このような事情に鑑みてなされたものであって、構成をシンプルにし、コンパクトでかつ安価にでき、しかも操作性の良い車両空調装置用操作装置を提供することを目的とする。
【課題を解決するための手段】
【０００８】
上記した課題を解決するために、本発明の車両空調装置用操作装置は、以下の手段を採用する。
すなわち、本発明にかかる車両空調装置用操作装置は、表面側が操作パネルとされたコントロールボックスと、スイッチ機能および意匠が印刷され、前記操作パネルの外面側または内面側に貼り付けまたはインサート成形されたパネルシートと、前記操作パネルの内面側に貼り付けられたタッチセンサシートと、を備え、前記タッチセンサシートは、透明または半透明で光が透過可能とされているとともに、前記パネルシートは、前記スイッチ機能および意匠の一部が光を透過可能に印刷されていることを特徴とする。
【０００９】
本発明によれば、車両空調装置用操作装置が、表面側が操作パネルとされたコントロールボックスと、操作パネルの外面側または内面側に貼り付けまたはインサート成形されたパネルシートと、操作パネルの内面側に貼り付けられたタッチセンサシートとにより構成されているため、操作ノブや押しボタンスイッチ等を無くして操作装置の部品点数を削減し、その構成をシンプル化することができるとともに、操作装置を小型化しコンパクトに構成することができる。また、スイッチ機能および意匠をパネルシートに印刷することによって、従来のような塗装のレーザーカット処理や２色成形が不要となるため、操作装置を安価に製造することができる。更に、タッチセンサシートに直接タッチまたは押圧したりせず、操作パネルまたはパネルシートを介して操作するようにしているため、外力に対する耐久性を高めることができる。また、パネルシートに印刷されているスイッチ機能および意匠の一部に対して、透明または半透明で光が透過可能とされているタッチセンサシートを介して光を透過するようにしているため、スイッチの機能および意匠の視認を容易化し、操作性を向上することができる。
【００１０】
また、本発明の車両空調装置用操作装置は、上記の車両空調装置用操作装置において、前記コントロールボックスの内部側には、前記タッチセンサシートの貼り付け位置を決める位置決め部材が設けられていることを特徴とする。
【００１１】
本発明によれば、コントロールボックスの内部側に設けられている位置決め部材を介してタッチセンサシートの貼り付け位置を位置決めできるため、物理的に連結されていないコントロールボックス側の操作部とタッチセンサシートの操作部とを確実に位置合せしてタッチセンサシートを貼り付けることができる。従って、組み付け状態での校正を不要にすることができる。
【００１２】
また、本発明の車両空調装置用操作装置は、上述のいずれかの車両空調装置用操作装置において、前記操作装置による操作状態は、別個に設けられている液晶ディスプレイ（ＬＣＤ）、蛍光表示管（ＶＦＤ）等の表示部に表示可能とされていることを特徴とする。
【００１３】
本発明によれば、操作装置による操作状態が、別個に設けられている液晶ディスプレイ（ＬＣＤ）、蛍光表示管（ＶＦＤ）等の表示部に表示可能とされているため、バックライト以外のインジケータ用の照明や導光部材、遮光部材等を不要とすることができ、操作装置の構成を簡素化することができる。
【００１４】
さらに、本発明の車両空調装置用操作装置は、上述のいずれかの車両空調装置用操作装置において、前記タッチセンサシートは、静電容量方式、表面弾性波方式、または音響パルス認識方式のいずれかとされていることを特徴とする。
【００１５】
本発明によれば、タッチセンサシートとして、指等がセンサ電極に接近すると、電極の静電容量が変化することにより接近する指等を検出する静電容量方式、振動子によりパネル表面に表面弾性波を与え、タッチするとその部分での表面弾性波の振動が指に吸収されることを利用して送信からの時間比率で振動が伝わらなかった位置を検出する表面弾性波方式、タッチした時に発生する表面振動を利用してタッチ位置を検出する音響パルス認識方式のいずれかのタッチセンサシートを用いることにより、操作パネルまたはパネルシートに対するタッチ操作で空調装置を操作することが可能となる。従って、従来の回転ノブや押しボタンスイッチによる操作に比べ、操作性を格段に向上することができる。
【００１６】
また、本発明の車両空調装置用操作装置は、上記の車両空調装置用操作装置において、前記タッチセンサシートが静電容量方式とされた場合、前記操作パネルまたはパネルシートの前記タッチセンサシートとの接着面は、密着される必要がある部分のみが周囲から凸状に構成されていることを特徴とする。
【００１７】
本発明によれば、操作パネルまたはパネルシートの静電容量方式タッチセンサシートとの接着面を、密着させる必要がある部分のみを周囲から凸状に構成しているため、接着面全体を密着させる場合に比べ、密着させる必要がある部分（信号を出力する部分）のみをより確実に密着させることができる。従って、静電容量方式のタッチセンサシートを用いた場合にあって、誤検知等を確実に防止することが可能となる。
【００１８】
さらに、本発明の車両空調装置用操作装置は、上述のいずれかの車両空調装置用操作装置において、前記パネルシートに印刷されている前記スイッチ機能および意匠の一部は、周囲と同色または類似色とされ、バックライトの点灯により表示が現れるようにされていることを特徴とする。
【００１９】
本発明によれば、パネルシートに印刷されているスイッチ機能および意匠の一部が、周囲と同色または類似色とされ、バックライトの点灯により表示が現れるように構成されているため、印刷されているスイッチ機能および意匠の一部は、キーオフ時（バックライト消灯時）、表示されずインパネと同化されているが、キーオン（バックライト点灯）することによって表示が現れるようになる。従って、操作装置にウェルカムアクションによる高機能感を付加することができる。
【００２０】
さらに、本発明の車両空調装置用操作装置は、上述のいずれかの車両空調装置用操作装置において、前記操作パネルおよび前記パネルシートの操作部は、周囲に対して凸状または凹状に構成されていることを特徴とする。
【００２１】
本発明によれば、操作部を周囲に対して凸状または凹状に構成しているため、操作パネルまたはパネルシート上での操作部の位置を明確化することができる。従って、タッチ操作に対する操作性を向上することができる。
【００２２】
さらに、本発明の車両空調装置用操作装置は、上述のいずれかの車両空調装置用操作装置において、前記操作装置は、操作部にタッチした時間の長さに応じて操作の変化量が変化されるように構成されていることを特徴とする。
【００２３】
本発明によれば、操作部にタッチした時間の長さに応じて操作の変化量が変化されるように構成されているため、操作部に対するタッチ時間を変えて、例えば操作部に長くタッチすることにより、連続して操作内容を変化させることが可能となる。従って、操作内容を変更するために操作部に対して複数回繰り返しタッチする必要がなくなる等、操作性を向上することができる。
【００２４】
さらに、本発明の車両空調装置用操作装置は、上述のいずれかの車両空調装置用操作装置において、前記操作装置は、操作部をタッチ操作したとき、操作音が発生されるように構成されていることを特徴とする。
【００２５】
本発明によれば、操作部をタッチ操作したとき、操作音が発生されるように構成されているため、操作部にタッチしたときに発生される音によって操作したことを実感することが可能となる。従って、実際にノブやボタン等を回転あるいは押圧せずとも、音と表示部の変化の双方によって操作感を体得することができる。
【００２６】
さらに、本発明の車両空調装置用操作装置は、上記の車両空調装置用操作装置において、前記操作音は、所定時間だけ遅延して発せられるように構成されていることを特徴とする。
【００２７】
本発明によれば、操作音が所定時間だけ遅延して発せられるようにされているため、操作音として、例えば実際にボタンを押したときのようなスイッチ音を一瞬遅延して発することにより、実際にボタンを押圧操作したときのような感覚を得ることができる。これによって、操作感を向上することができる。
【発明の効果】
【００２８】
本発明によると、操作ノブや押しボタンスイッチ等を無くして操作装置の部品点数を削減し、その構成をシンプル化することができるとともに、操作装置を小型化しコンパクトに構成することができる。また、スイッチ機能および意匠をパネルシートに印刷することによって、従来のような塗装のレーザーカット処理や２色成形が不要となるため、操作装置を安価に製造することができる。更に、タッチセンサシートに直接タッチまたは押圧したりせず、操作パネルまたはパネルシートを介して操作するようにしているため、外力に対する耐久性を高めることができる。また、パネルシートに印刷されているスイッチ機能および意匠の一部に対して、透明または半透明で光が透過可能とされているタッチセンサシートを介して光を透過するようにしているため、スイッチの機能および意匠の視認を容易化し、操作性を向上することができる。
【図面の簡単な説明】
【００２９】
【図１】本発明の第１実施形態に係る車両空調装置用操作装置の分解斜視図である。
【図２】図１に示す車両空調装置用操作装置のコントロールボックス内部をＡ矢視方向から見た部分斜視図である。
【図３】図１に示す車両空調装置用操作装置のＢ−Ｂ断面相当図である。
【図４】本発明の第２実施形態に係る車両空調装置用操作装置の図１のＢ−Ｂ断面相当図である。
【図５】本発明の第３実施形態に係る車両空調装置用操作装置の操作部の異なる構成例の断面図（Ａ）および（Ｂ）である。
【図６】本発明の第４実施形態に係る車両空調装置用操作装置の部分断面図である。
【発明を実施するための形態】
【００３０】
以下に、本発明にかかる実施形態について、図面を参照して説明する。
［第１実施形態］
以下、本発明の第１実施形態について、図１ないし図３を用いて説明する。
車両空調装置用操作装置１は、表面側が操作パネル２とされたフロントケース３と、リアケース４とを一体に結合して構成されるコントロールボックス５を備えている。コントロールボックス５は、アクリルやポリカーボネート（ＰＣ）等の透明部材によって構成することができる。
【００３１】
コントロールボックス５のフロントケース３内には、ＬＥＤやランプ等のバックライトを構成する光源６や制御回路７等が実装されている基板８が設置されているとともに、その前面側に光源（バックライト）６からの光を拡散する光拡散板９が設置され、それらの背面側がリアケース４によって密閉された構成とされている。
【００３２】
フロントケース３の表面側には、スイッチ機能および意匠１０等が印刷されているパネルシート１１がその全表面にわたって貼り付けまたはインサート成形されている。パネルシート１１は、ポリエチレンテレフタート（ＰＥＴ）、ポリカーボネート（ＰＣ）等の樹脂シートよって構成されており、スイッチ機能および意匠１０の一部のみが光を透過可能に印刷されている。また、このスイッチ機能および意匠１０の一部は、周囲と同色または類似色とされており、バックライトを構成する光源６の点灯によりその光を透過して表示だけが現れるようにされている。
【００３３】
また、フロントケース３の内面側には、タッチセンサシート（タッチパネル）１２が貼り付けられ、操作パネル２が構成されている。つまり、タッチセンサシート１２には、パネルシート１１に印刷されているスイッチ機能および意匠１０等に指等でタッチすることにより、フロントケース３を介して操作情報が入力されるように構成されている。このタッチセンサシート１２として、以下のような方式のタッチセンサシート１２を用いることができる。
【００３４】
（１）物体（指等）がセンサ電極に接近すると、電極の静電容量が変化することにより接近する指等を検出する静電容量方式のタッチセンサシート。
（２）振動子によりパネル表面に表面弾性波を与え、タッチするとその部分での表面弾性波の振動が指に吸収されることを利用して送信からの時間比率で振動が伝わらなかった位置を検出する表面弾性波方式のタッチセンサシート。
（３）タッチした時に発生する表面振動を利用してタッチ位置を検出する音響パルス認識方式のタッチセンサシート。
【００３５】
これらのタッチセンサシート１２は、図２に示されるように、コントロールボックス５（フロントケース３）の内部側の４コーナー部に設けられている位置決め部材１３によって貼り付け位置を合わせて貼り付けられるように構成されている。また、タッチセンサシート１２は、光源（バックライト）６から光拡散板９を介して照射される光を透過できるように透明または半透明のシートとされている。
【００３６】
また、上記操作装置１によって操作された空調装置の操作状態は、車室内のインストルメントパネル（インパネ）上の別の位置に設置されている液晶ディスプレイ（ＬＣＤ）や蛍光表示管（ＶＦＤ）等により構成されている表示部（図示省略）に表示され、乗員が目視により視認可能とされている。なお、この表示部として、例えばナビゲーションシステムのディスプレイ部を利用することができる。
【００３７】
以上に説明の構成により、本実施形態によれば、以下の作用効果を奏する。
空調装置を運転操作する際には、コントロールボックス５の表面側に貼り付けまたはインサート成形されているパネルシート１１上の任意のスイッチ機能および意匠１０をタッチ操作する。この操作による情報がコントロールボックス５のフロントケース３を介して静電容量方式、表面弾性波方式または音響パルス認識方式等からなるタッチセンサシート１２に入力される。タッチセンサシート１２に入力された操作情報は基板８上の制御回路に送信され、必要な回路、アクチュエータを介して空調装置側の機器を作動させる。これによって、車室内を所望の状態に空調することができる。
【００３８】
このように、車両空調装置を操作する操作装置１に対して静電容量方式、表面弾性波方式または音響パルス認識方式等のタッチセンサシート１２を用いることにより、該操作装置１を表面側が操作パネル２とされたコントロールボックス５と、その外面側に貼り付けまたはインサート成形されたパネルシート１１と、操作パネル２（フロントケース３）の内面側に貼り付けられたタッチセンサシート１２とによって構成することができる。このため、操作ノブや押しボタンスイッチ、あるいはその回転量を検出するエンコーダやボリューム等の素子を不要として操作装置１の部品点数を大幅に削減し、その構成をシンプル化することができるとともに、操作性を格段に向上することができ、更には操作装置１を小型化しコンパクトに構成することができる。
【００３９】
また、スイッチ機能および意匠１０をパネルシート１１に印刷することによって、従来のような塗装のレーザーカット処理や２色成形等の複雑な製造工程を不要にすることができる。このため、操作装置１の製造コストを大幅に低減することができる。さらに、タッチセンサシート１２に対して直接タッチまたは押圧したりせず、操作パネル２（フロントケース３）またはパネルシート１１を介して操作するようにしているため、外力に対する耐久性を高めることができる。
【００４０】
さらに、パネルシート１１に印刷されているスイッチ機能および意匠１０の一部に対して、透明または半透明で光が透過可能とされているタッチセンサシート１２を介して光を透過するようにしているため、スイッチの機能および意匠１０の視認を容易化し、操作性を向上することができる。特に、パネルシート１１に印刷されているスイッチ機能および意匠１０の一部を周囲と同色または類似色とし、光源（バックライト）６の点灯によってその表示が現れるようにしている。このため、パネルシート１１に印刷されているスイッチ機能および意匠１０の一部は、キーオフ時（バックライト消灯時）、表示されずインパネと同化されているが、キーオン（バックライト点灯）することによって表示が現れるようになる。従って、操作装置１に対してウェルカムアクションによる高機能感を付加することができる。
【００４１】
また、コントロールボックス５（フロントケース３）の内部側にタッチセンサシート１２を貼り付け設置するため、貼り付け位置を設定する位置決め部材１３を４コーナー部に設け、この位置決め部材１３によりタッチセンサシート１２を位置合せして貼り付けるようにしているため、物理的に連結されていないコントロールボックス５側の操作部とタッチセンサシート１２の操作部とを確実に位置合せしてタッチセンサシート１２を貼り付けることができる。従って、組み付け状態での校正を不要にすることができる。
【００４２】
さらに、操作装置１による空調装置の操作状態は、インパネ上に別に設けられている液晶ディスプレイ（ＬＣＤ）、蛍光表示管（ＶＦＤ）等の表示部に表示されるようになっているため、操作装置１側にバックライト以外のインジケータ用の照明や導光部材、遮光部材等を不要とすることができ、これにより、操作装置１の構成を簡素化することができる。例えば、表示部として、ナビゲーションシステムのディスプレイ部を利用することによって、インパネ上における表示部の設置スペースを削減することができる。
【００４３】
なお、上記実施形態においては、コントロールボックス５を構成しているフロントケース３の全表面にわたって、パネルシート１１を貼り付けているが、フロントケース３の操作パネル面２を除く周囲面に光を透過不能な有色塗料を塗布する等の処理を施すことによって、パネルシート１１の貼り付けは操作パネル面２のみとしてもよい。これは、光を透過可能なスイッチ機能および意匠１０の一部以外からの光の漏洩を防止し、スイッチ機能および意匠１０の視認性低下を抑制するためである。
【００４４】
［第２実施形態］
次に、本発明の第２実施形態について、図４を用いて説明する。
本実施形態は、上記した第１実施形態に対して、パネルシート１１の貼り付け位置が異なっている。その他の点については、第１実施形態と同様であるので説明は省略する。
本実施形態では、図４に示されるように、コントロールボックス５を構成しているフロントケース３の内面側の全面にわたって、スイッチ機能および意匠１０が印刷されたパネルシート１１を貼り付けまたはインサート成形しており、該パネルシート１１の内面側にタッチセンサシート（タッチパネル）１２が貼り付けられた構成とされている。
【００４５】
上記のように、コントロールボックス５を構成しているフロントケース３の内面側にパネルシート１１を貼り付けまたはインサート成形し、その内面にタッチセンサシート１２を貼り付けた構成とすることによっても、第１実施形態と同様の作用効果を得ることができる。また、本実施形態の場合、コントロールボックス５の操作側の表面がフロントケース３自体となるため、外力に対しての耐久性を更に高めることができる。
【００４６】
［第３実施形態］
次に、本発明の第３実施形態について、図５を用いて説明する。
本実施形態は、上記した第１実施形態に対して、操作部１５の構成が異なる。その他の点については、第１実施形態と同様であるので説明は省略する。
本実施形態では、図５に示されるように、コントロールボックス５を構成している操作パネル２（フロントケース３）またはパネルシート１１の操作部１５となる部位（スイッチ機能および意匠１０が施されている部位またはその部位に隣接する部位）を周囲よりも凸状（図５（Ａ）参照）または凹状（図５（Ｂ）参照）に構成している。
【００４７】
このように、操作部１５を周囲に対して凸状または凹状とすることによって、操作パネル２（フロントケース３）またはパネルシート１１上での操作部１５の位置を明確化することができる。このため、タッチ操作に対する操作性を向上することができる。
【００４８】
［第４実施形態］
次に、本発明の第４実施形態について、図６を用いて説明する。
本実施形態は、上記した第１実施形態に対して、静電容量方式のタッチセンサシート１２を用いた場合の貼り付け構造が異なっている。その他の点については、第１実施形態と同様であるので説明は省略する。
本実施形態は、図６に示されるように、静電容量方式のタッチセンサシート１２を用いた場合において、操作パネル２（フロントケース３）またはパネルシート１１の内面に貼り付けられるタッチセンサシート１２が、操作パネル２（フロントケース３）またはパネルシート１１の内面に確実に密着されて貼り付けられるようにするため、操作パネル２またはパネルシート１１の内面（接着面）側に、必ず密着される必要がある部分（信号を出力する部分）１６を周囲から凸状に形成した構成としている。
【００４９】
このように、操作パネル２またはパネルシート１１の静電容量方式タッチセンサシート１２との接触面に、密着させる必要がある部分１６のみを周囲から凸状に設けた構成とすることにより、接着面全体を密着させる場合に比べ、必ず密着させる必要がある部分１６のみを、空気等の封入を防止してより確実に密着させることができる。従って、静電容量方式のタッチセンサシート１２を用いた場合にあって、信号の誤検知等を確実に防止することが可能となる。
【００５０】
［第５実施形態］
次に、本発明の第５実施形態について説明する。
本実施形態は、上記した第１実施形態に対して、タッチ操作方式としたことに伴う以下の付加機能を追加している点が異なる。その他の点については、第１実施形態と同様であるので説明は省略する。
（１）例えば、操作部１５等にタッチした時間の長さに応じて操作の変化量が変化されるように構成する。
このように、操作部１５等にタッチした時間の長さに応じて操作の変化量が変化されるように構成することにより、操作部１５に対するタッチ時間を変えて、例えば操作部１５に対して長くタッチすることで連続して操作内容を変化させることが可能となる。これによって、操作内容を変更するために操作部に対して複数回繰り返しタッチする必要がなくなる等、操作性を向上することができる。
【００５１】
（２）例えば、操作部１５等をタッチ操作したとき、スイッチの機械的動作音（スイッチ音）等の操作音が発生されるように構成する。
このように、操作部１５をタッチ操作したとき、操作音が発生されるように構成することにより、操作部１５にタッチしたときに発生されるスイッチ音等の音を介して操作を実感することが可能となる。これによって、実際にノブやボタン等を回転あるいは押圧せずとも、音と表示部の変化の双方で操作感を体得することができる。
【００５２】
（３）上記操作音が所定時間だけ遅延して発せられるように構成する。
このように、操作音が所定時間だけ遅延して発せられるようにすることにより、操作時から一瞬遅延して発せられる、例えば実際にボタンを押したときのような機械的スイッチ音を介してボタンを押圧操作時の感覚を得ることができる。これによって、操作感を向上することができる。
【００５３】
なお、本発明は、上記実施形態にかかる発明に限定されるものではなく、その要旨を逸脱しない範囲において、適宜変形が可能である。例えば、コントロールボックス５やパネルシート１１について、構成材料の一例を示したが、例示した材料に限定されるものではないことはもちろんである。また、パネルシート１１に印刷されているスイッチ機能および意匠１０は、単に一例が図示されているにすぎず、様々なデザインに変更できることは云うまでもない。
【符号の説明】
【００５４】
１  車両空調装置用操作装置
２  操作パネル
５  コントロールボックス
６  光源（バックライト）
１０  スイッチ機能および意匠
１１  パネルシート
１２  タッチセンサシート
１３  位置決め部材
１５  操作部
１６  密着させる必要がある部分
【図１】
2010179735.tif 000003
【図２】
2010179735.tif 000004
【図３】
2010179735.tif 000005
【図４】
2010179735.tif 000006
【図５】
2010179735.tif 000007
【図６】
2010179735.tif 000008